(57)【要約】【課題】  省電力を実現させる確かなインセンティブを需要家の構成員に与え、省電力の実現の確実性を高める。【解決手段】  スマートメータ２から需要家の電力使用量情報を電力量記録装置６に送信し、記録する。需要家の構成員は、指定時間にＩＣカード３を持参して百貨店等の指定場所へ行き、商品を購入し、決済を行い、この際、ＩＣカード３をカードリーダ４にかざす。カードリーダ４は、ＩＣカード３から需要家特定情報を読み取り、需要家特定情報および読取時刻情報等を含む来場情報を通信用ＰＣ５を介して判定サーバ７へ送信する。判定サーバ７は、来場情報、および電力量記録装置６から取得した需要家の電力使用量情報に基づき、需要家の構成員が指定時間に指定場所へ外出したことにより省電力が達成されたか否かを判定する。【選択図】        図１
2017038416.tif 000002
【特許請求の範囲】
【請求項１】
需要家の電力使用量を計測する電力量計測装置と、
前記電力量計測装置により計測された前記需要家の電力使用量を記録する電力量記録装置と、
前記需要家を特定することができる需要家特定情報が記憶された携帯型情報記録媒体と、
指定場所に置かれ、当該指定場所に来場した前記需要家の構成員が持参した前記携帯型情報記録媒体から前記需要家特定情報を読み取り、当該読み取った需要家特定情報および当該需要家特定情報の読取時刻を含む来場情報を出力する情報読取装置と、
前記情報読取装置から出力された来場情報、および前記電力量記録装置に記録された前記需要家の電力使用量に基づき、前記需要家の構成員が指定時間に前記指定場所に来場し、かつ前記指定時間における前記需要家の電力使用量が減少したことを判定する判定装置とを備えていることを特徴とする省電力判定システム。
【請求項２】
前記判定装置は、前記指定時間における前記需要家の電力使用量と、過去の日の前記指定時間と同じ時間における前記需要家の電力使用量とに基づいて、前記需要家の電力使用量が減少したことを判定することを特徴とする省電力判定システム。
【請求項３】
需要家の電力使用量を計測する電力量計測装置と、前記電力量計測装置により計測された前記需要家の電力使用量を記録する電力量記録装置と、前記需要家を特定することができる需要家特定情報が記憶された携帯型情報記録媒体と、を用いた省電力判定方法であって、
指定場所に設置された情報読取装置が、当該指定場所に来場した前記需要家の構成員が持参した前記携帯型情報記録媒体から前記需要家特定情報を読み取り、当該読み取った需要家特定情報および当該需要家特定情報の読取時刻を含む来場情報を出力するステップと、
判定装置が、前記情報読取装置から出力された来場情報、および前記電力量記録装置に記録された前記需要家の電力使用量を受信し、これら受信した来場情報及び電力使用量に基づき、前記需要家の構成員が指定時間に前記指定場所に来場し、かつ前記指定時間における前記需要家の電力使用量が減少したことを判定することを特徴とする省電力判定方法。
【発明の詳細な説明】
【技術分野】
【０００１】
本発明は、需要家の電力使用量の計測および需要家構成員の行動の認識に基づいて省電力の達成の有無を判定する省電力判定システムおよび省電力判定方法に関する。
【背景技術】
【０００２】
夏期の暑い日に、一般家庭の人々が、自宅のエアーコンディショナ（以下、「エアコン」という。）を停止させて外出し、商業施設や公共施設等の涼しい場所に集まって時間を過ごすことにより一般家庭における電力使用量を削減するという省電力方法が知られている。このような省電力方法は「クールシェア」と呼ばれている。現在、国の機関や地方公共団体、電力会社等が、種々のメディアを通じて広報活動を実施し、一般家庭に向けてクールシェアへの参加を呼び掛けている。
【０００３】
一般家庭の多くの人々のクールシェアへの参加を実現するためには、上述した呼び掛けのほかに、一般家庭の人々がクールシェアへ参加するインセンティブを強めるための何らかの方法ないしシステムが必要であると考えられる。
【０００４】
この点、特許文献１には、次のような方法が開示されている。すなわち、この公報の記載によれば、電力会社が需要家に電子メールで、省電力（節電）に協力してほしい旨、省電力に協力してほしい時間帯、およびその時間帯に特定のレストラン等に食事等の予約を入れるとそのレストラン等で優待サービスを受けられる旨を通知し、これに応じ、需要家の構成員のうちの２人以上が、当該レストラン等に予約を入れ、電子メールで指定された時間帯に当該レストラン等で食事をするために外出すると、その時間帯の需要家における電力使用量が減少し、省電力が実現されるとされている。
【先行技術文献】
【特許文献】
【０００５】
【特許文献１】特開２００５−９９９９１号公報
【発明の概要】
【発明が解決しようとする課題】
【０００６】
しかしながら、特許文献１に記載された方法では、需要家の構成員の外出が省電力につながらない可能性がある。例えば、需要家の構成員のうち２人が外出しても、残りの構成員が需要家宅に留まってエアコンを使用した場合には電力使用量が減少しない場合があり、また、電力使用量が減少したとしてもその程度が小さい場合がある。
【０００７】
また、特許文献１に記載された方法では、需要家の構成員の外出により電力使用量が実際に減少したか否かは不明であり、それゆえ、需要家の構成員の外出が省電力に貢献したか否かがわからない。外出が省電力に貢献するか否かがわからない場合、電子メールの通知により需要家の構成員に与えられるインセンティブは、外出のインセンティブにすぎず、省電力のインセンティブではない可能性がある。このため、上記公報に記載された方法では、省電力の実現の確実性が低いと考えられる。
【０００８】
本発明は例えば上述したような問題に鑑みなされたものであり、本発明の課題は、省電力を実現させる確かなインセンティブを需要家の構成員（一般家庭の人々）に与えることができ、省電力の実現の確実性を高めることができる省電力判定システムおよび省電力判定方法を提供することにある。
【課題を解決するための手段】
【０００９】
上記目的を達成するため、本発明の省電力判定システムは、需要家の電力使用量を計測する電力量計測装置と、前記電力量計測装置により計測された前記需要家の電力使用量を記録する電力量記録装置と、前記需要家を特定することができる需要家特定情報が記憶された携帯型情報記録媒体と、指定場所に置かれ、当該指定場所に来場した前記需要家の構成員が持参した前記携帯型情報記録媒体から前記需要家特定情報を読み取り、当該読み取った需要家特定情報および当該需要家特定情報の読取時刻を含む来場情報を出力する情報読取装置と、前記情報読取装置から出力された来場情報、および前記電力量記録装置に記録された前記需要家の電力使用量に基づき、前記需要家の構成員が指定時間に前記指定場所に来場し、かつ前記指定時間における前記需要家の電力使用量が減少したことを判定する判定装置とを備えていることを特徴とする。
【００１０】
本発明において、前記判定装置は、前記指定時間における前記需要家の電力使用量と、過去の日の前記指定時間と同じ時間における前記需要家の電力使用量とに基づいて、前記需要家の電力使用量が減少したことを判定することとしてもよい。
【００１１】
また、本発明は、需要家の電力使用量を計測する電力量計測装置と、前記電力量計測装置により計測された前記需要家の電力使用量を記録する電力量記録装置と、前記需要家を特定することができる需要家特定情報が記憶された携帯型情報記録媒体と、を用いた省電力判定方法であって、指定場所に設置された情報読取装置が、当該指定場所に来場した前記需要家の構成員が持参した前記携帯型情報記録媒体から前記需要家特定情報を読み取り、当該読み取った需要家特定情報および当該需要家特定情報の読取時刻を含む来場情報を出力するステップと、判定装置が、前記情報読取装置から出力された来場情報、および前記電力量記録装置に記録された前記需要家の電力使用量を受信し、これら受信した来場情報及び電力使用量に基づき、前記需要家の構成員が指定時間に前記指定場所に来場し、かつ前記指定時間における前記需要家の電力使用量が減少したことを判定することを特徴とする。
【発明の効果】
【００１２】
本発明によれば、省電力を実現させる確かなインセンティブを需要家の構成員（一般家庭の人々）に与えることができ、省電力の実現の確実性を高めることができる。
【図面の簡単な説明】
【００１３】
【図１】本発明の実施形態による省電力判定システムを示すブロック図である。
【図２】本発明の実施形態による省電力判定システムにおける電力使用量計測・記録処理を示すフローチャートである。
【図３】本発明の実施形態による省電力判定システムにおける来場情報生成処理を示すフローチャートである。
【図４】省電力への協力を依頼するウェブページの具体例を示す説明図である。
【図５】本発明の実施形態による省電力判定システムにおける判定処理を示すフローチャートである。
【発明を実施するための形態】
【００１４】
以下、本発明の実施の形態について図面を参照しながら説明する。
図１は本発明の実施形態による省電力判定システムを示している。本実施形態による省電力判定システム１は、需要家の構成員が指定時間に指定場所に行くために外出したことにより、指定時間における需要家の電力使用量が所定の基準を下回る程度減少したか否かを判断し、これに基づき、省電力が達成されたか否かを判定するシステムである。
【００１５】
以下の説明において、「需要家の構成員」とは、例えば、需要家宅において共同生活を営む家族を構成する人々等である。また、省電力管理システム１は例えば電力会社等により管理されている。以下、省電力判定システム１の管理者を「システム管理者」という。
【００１６】
また、「指定時間」とは、システム管理者により指定された時間をいい、例えば、１２：００から１５：００までというように、開始時刻と終了時刻により規定されるものである。なお、指定時間を、１２：００から３時間というように、開始時刻と開始から終了までの時間により規定してもよい。また、指定時間に月または日を含めてもよい。指定時間は、例えば、夏期の電力需要がピークとなる時間帯に設定する。
【００１７】
また、「指定場所」とは、システム管理者により指定された場所をいう。また、「場所」とは、具体的には施設、機関等である。より具体的には、「場所」には、例えばショッピングモール、百貨店、小売店、レストラン、映画館、美術館、ホテル、遊園地、レジャー施設、スポーツ施設、リゾート施設等の商業施設、例えば公民館、図書館、博物館、学校、公園、運動場等の公共施設、例えば電車、地下鉄等の交通機関が含まれる。本実施形態では、説明の便宜上、指定場所が百貨店であるとする。
【００１８】
また、省電力判定システム１は、通常、需要家が複数存在し、指定場所が複数存在する構成に適用されることを想定しているが、以下、説明の便宜上、複数の需要家の存在または複数の指定場所の存在を前提とした処理について説明する場合を除き、省電力判定システム１を、需要家が１つであり、指定場所が１つである構成に適用する場合を例として説明する。
【００１９】
省電力判定システム１は、図１に示すように、スマートメータ２、ＩＣ（Ｉｎｔｅｇｒａｔｅｄ  Ｃｉｒｃｕｉｔ）カード３、カードリーダ４、通信用のパーソナルコンピュータ（以下、「通信用ＰＣ」という。）５、電力量記録装置６、および判定サーバ７を備えている。また、図１中のウェブサーバ８およびウェブサイト閲覧用のパーソナルコンピュータ（以下、「閲覧用ＰＣ」という。）９は、本実施形態において、省電力判定システム１と協働する装置である。
【００２０】
スマートメータ２は、自動検針機能（または遠隔検針機能）、計時機能および通信機能を有する電力量計であり、需要家宅に設けられている。スマートメータ２は、例えば専用の通信ネットワークを介してデータセンタに設けられた電力量記録装置６と接続されている。スマートメータ２は、需要家の電力使用量を計測し、計測情報を所定の時間（例えば３０分）ごとに電力量記録装置６へ送信する。計測情報には、スマートメータ２の識別情報、計測により得られた需要家の電力使用量を示す電力使用量情報、および計測時刻（例えば計測年月日時分秒）を示す計測時刻情報が含まれている。また、スマートメータ２の識別情報は例えばスマートメータ２に割り当てられた固有の番号である。
【００２１】
なお、スマートメータ２の識別情報に代え、需要家に割り当てられた電気需給契約番号または顧客番号等、需要家を特定することができる他の情報を計測情報に含ませてもよい。また、スマートメータ２は電力量計測装置の具体例である。
【００２２】
ＩＣカード３は、例えば名刺と同等サイズの携帯可能なカードであり、その内部には、情報を記憶することができる半導体メモリ等の情報記憶素子を含む集積回路が設けられている。ＩＣカード３の情報の読み取り方式は、接触型と非接触型のいずれでもよい。ＩＣカード３の情報記憶素子には、ＩＣカード３の識別情報が記憶されている。ＩＣカード３の識別情報は例えばＩＣカード３に割り当てられた固有の番号である。
【００２３】
ＩＣカード３は、例えばシステム管理者から需要家に提供される。省電力判定システム１による判定を受けることを望む需要家の構成員は、指定場所である百貨店へ行く際、ＩＣカード３を持参し、当該百貨店で購入した商品の決済を行うときにＩＣカード３に記憶された情報をカードリーダ４に読み取らせる。
【００２４】
なお、ＩＣカード３の識別情報に代えて、電気需給契約番号または顧客番号等、需要家を特定することができる他の情報をＩＣカード３の情報記憶素子に記憶してもよい。また、ＩＣカード３に代えて、ＩＣカード３と同等の機能を有する携帯端末装置を用いてもよい。また、ＩＣカード３の識別情報は需要家特定情報の一具体例であり、ＩＣカード３は携帯型情報記録媒体の一具体例である。
【００２５】
カードリーダ４は、ＩＣカード３から識別情報を読み取り、後述する来場情報を生成し、来場情報を通信用ＰＣ５に出力する装置である。カードリーダ４は、指定場所（本実施形態では、指定された百貨店）に設けられ、より具体的には、例えば、指定された百貨店の代金支払場所（レジカウンター等）に置かれている。また、カードリーダ４は、同じ場所に設けられた通信用ＰＣ５と接続されている。例えば、需要家の構成員が、指定場所である百貨店で購入した商品の決済を行うときに、ＩＣカード３をカードリーダ４に接近または接触させると、ＩＣカード３の識別情報がカードリーダ４によりＩＣカード３から読み取られる。
【００２６】
また、来場情報には、ＩＣカード３の識別情報と、読取時刻情報と、カードリーダ４の識別情報が含まれている。読取時刻情報は、後述するように、カードリーダ４がＩＣカード３からＩＣカード３の識別情報を読み取った時刻を示す情報である。カードリーダ４は計時機能を有し、これにより、このような時刻情報を生成することができる。また、カードリーダ４の識別情報は例えばカードリーダ４に割り当てられた固有の番号である。
なお、カードリーダ４の識別情報に代え、施設名、施設番号等、指定場所を特定することができる他の情報を用いてもよい。また、カードリーダ４は情報読取装置の具体例である。
【００２７】
通信用ＰＣ５は、例えば一般に普及しているパーソナルコンピュータであり、カードリーダ４と共に指定場所に設けられている。通信用ＰＣ５は、専用の通信ネットワークを介して管理センタに設けられた判定サーバ７に接続されている。通信用ＰＣ５は、カードリーダ４から出力された来場情報を判定サーバ７に送信する通信装置として利用される。
なお、通信用ＰＣ５に代え、カードリーダ４から出力された情報を判定サーバ７に送信することができる他の通信装置を用いてもよい。また、このような通信装置として機能する回路をカードリーダ４に組み込んでもよい。
【００２８】
電力量記録装置６は、スマートメータ２から送信された計測情報を受信し、受信した計測情報に基づき、需要家の電力使用量をその計測時刻と共に記録媒体に記録する装置である。電力量記録装置６には、複数の需要家について、電力使用量およびその計測時刻を記録することができる。また、電力量記録装置６には、各需要家の過去数年分の電力使用量およびそれらの計測時刻を記録することができる。電力量記録装置６は、例えばシステム管理者の管理下にあるデータセンタに設けられている。電力量記録装置６は、例えば、記録媒体としての大容量ハードディスク装置を備えたサーバコンピュータにより構成されている。
【００２９】
判定サーバ７は、需要家の構成員が指定時間に指定場所に行くために外出したことにより、指定時間における需要家の電力使用量が所定の基準を下回る程度減少したか否かを判断し、これに基づいて省電力の達成の有無を判定する機能を備えたサーバコンピュータである。判定サーバ７は、このような機能を実現するためのコンピュータプログラムをサーバコンピュータのＣＰＵ（中央演算処理装置）に実行させることにより実現される。また、判定サーバ７には記憶装置が設けられ、この記憶装置には、システム管理者が指定した指定時間を示す指定時間情報が記憶されている。また、判定サーバ７は通信機能を備え、判定サーバ７には通信用ＰＣ５および電力量記録装置６が専用の通信ネットワークを介して接続されている。判定サーバ７は、後述するように、判定サーバ７に設けられた記憶装置から指定時間情報を読み出し、通信用ＰＣ５から来場情報を受信し、電力量記録装置６から需要家の電力使用量情報を取得し、これら、指定時間情報、来場情報、電力使用量情報に基づいて上記判定を行う。判定サーバ７は、例えば、システム管理者の管理下にある管理センタに設けられている。なお、判定サーバ７は判定装置の具体例である。
【００３０】
ウェブサーバ８は、例えば、管理センタに設けられたサーバコンピュータであり、指定時間および指定場所等を需要家に通知するために利用される。ウェブサーバ８は、通信機能を備え、例えばインターネットに接続されている。ウェブサーバ８が有する記憶装置には、指定時間および指定場所等を通知するためのウェブページのデータが記憶されている。
【００３１】
閲覧用ＰＣ９は、例えば需要家が所有する、一般的なパーソナルコンピュータであり、例えば需要家宅に設けられている。閲覧用ＰＣ９は例えばインターネットに接続されている。需要家の構成員は、閲覧用ＰＣ９を用いてウェブサーバ８にアクセスし、上述した、指定時間および指定場所等を通知するためのウェブページを閲覧することができる。なお、スマートフォン等の端末装置を閲覧用ＰＣ９の代わりに用いることができる。
【００３２】
以下、このような構成を有する省電力判定システム１が行う省電力判定処理につき、図２ないし図５を参照しながら説明する。説明の便宜上、省電力判定処理を、電力使用量計測・記録処理、来場情報生成処理、判定処理に分けることとする。
【００３３】
図２は電力使用量計測・記録処理を示している。電力使用量計測・記録処理は、スマートメータ２による電力使用量の計測、および電力量記録装置６による電力使用量等の記録に関する処理である。図２に示す電力使用量計測・記録処理において、まず、スマートメータ２が需要家の電力使用量を計測する（ステップＳ１１）。続いて、スマートメータ２は、スマートメータ２の識別情報、需要家の電力使用量を示す電力使用量情報、および計測時刻を示す計測時刻情報を含む計測情報を生成し、この計測情報をデータセンタに設けられた電力量記録装置６に送信する（ステップＳ１２）。
【００３４】
続いて、電力量記録装置６がスマートメータ２から送信された計測情報を受信する（ステップＳ１３）。続いて、電力量記録装置６は、受信した計測情報から、スマートメータ２の識別情報、電力使用量情報および計測時刻情報を抽出する。そして、電力量記録装置６は、スマートメータ２の識別情報によって特定される需要家につき、電力使用量情報を計測時刻情報と共に記録媒体に記録する（ステップＳ１４）。これらステップＳ１１〜Ｓ１４の処理は所定の時間（例えば３０分）ごとに繰り返し行われる。
【００３５】
図３は来場情報生成処理を示している。来場情報生成処理は、カードリーダ４によるＩＣカード３からの情報の読取、来場情報の生成、および通信用ＰＣ５による来場情報の送信に関する処理である。
【００３６】
ここで、まず、来場情報生成処理の前提となる事項について説明する。すなわち、需要家の構成員は、システム管理者からＩＣカード３の提供を事前に受けている。また、需要家の構成員は、閲覧用ＰＣ９を操作してウェブサーバ８にアクセスし、システム管理者が公開しているウェブページを閲覧する。そのウェブページには、例えば次の事項が記載されている。
（１）省電力への協力を依頼する旨
（２）指定時間
（３）指定場所
（４）指定時間に指定場所へ行き、そこで商品購入の決済時にＩＣカードの情報をカードリーダに読み取らせると省電力判定を受けられる旨
（５）外出時に需要家宅のエアコン等を停止させ、省電力が達成されると、それに応じて報酬が与えられる旨
【００３７】
図４はウェブページの一例を示している。
ウェブページを閲覧し、省電力に対するインセンティブを形成した需要家の構成員は、指定時間に指定場所へ行くために、ＩＣカード３を持参して外出する。需要家宅を出る前に、需要家の構成員は、需要家宅のエアコン等、電力消費量が比較的大きく、外出中は稼働させておく必要のない電気機器を停止させる。外出中にこのような電気機器を停止させることで、外出中における需要家の電力使用量が大きく減少し、その結果、報酬（ポイント）を得ることができるであろうことを需要家の構成員は容易に認識することができる。この認識が、省電力を実現させる確かなインセンティブの形成に少なからず貢献すると考えられる。そして、外出した需要家の構成員は、指定場所である百貨店で商品を購入し、決済を行うために、当該百貨店のレジカウンタに向かう。
【００３８】
来場情報生成処理の前提となる事項についての説明は以上である。続いて、来場情報生成処理の内容について説明する。図３において、指定場所である百貨店のレジカウンタで、購入した商品について決済を行う際、需要家の構成員がＩＣカード３をカードリーダ４に接近または接触させると、カードリーダ４はＩＣカード３を検知する（ステップＳ２１：ＹＥＳ）。続いて、カードリーダ４は、ＩＣカード３の情報記憶素子からＩＣカード３の識別情報を読み取る（ステップＳ２２）。続いて、カードリーダ４は来場情報を生成し、生成した来場情報を通信用ＰＣ５へ出力する（ステップＳ２３）。カードリーダ４は来場情報を次のようにして生成する。すなわち、上述したように、来場情報には、ＩＣカード３の識別情報と、読取時刻情報と、カードリーダ４の識別情報が含まれている。ＩＣカード３の識別情報はＩＣカード３から読み取ることにより取得する。読取時刻情報は、カードリーダ４がＩＣカード３からその識別情報を読み取った時刻を示す情報であるが、これはカードリーダ４の有する計時機能により生成する。カードリーダ４の識別情報は、例えばカードリーダ４に内蔵された記憶素子に記憶されているので、その記憶素子から読み取ることにより取得する。
【００３９】
続いて、カードリーダ４から来場情報を受け取った通信用ＰＣ５は、来場情報を管理センタに設けられた判定サーバ７へ送信する（ステップＳ２４）。続いて、判定サーバ７は、通信用ＰＣ５から送信された来場情報を受信し、受信した来場情報を、判定サーバ７に設けられた記憶装置に一時的に記憶する（ステップＳ２５）。
【００４０】
図５は判定処理を示している。判定処理は、判定サーバ７により行われる、需要家構成員の外出に起因する需要家電力使用量の減少の判定に関する処理である。判定処理は、電力系統を全体的にみて電力使用量が少ない時間帯、例えば深夜の時間帯に行われる。また、判定処理は、例えば、新たな来場情報が判定サーバ７の記憶装置に記憶された後の最初の深夜の時間帯に行われる。図５に示す判定処理において、判定サーバ７は、まず、判定サーバ７に設けられた記憶装置から新たな来場情報を読み出す（ステップＳ３１）。
【００４１】
続いて、判定サーバ７は、来場情報から、ＩＣカード３の識別情報、カードリーダ４の識別情報および読取時刻情報を抽出し、ＩＣカード３の識別情報に基づいて指定場所に来場した需要家を特定し、カードリーダ４の識別情報に基づいて指定場所を特定する（ステップＳ３２）。すなわち、ステップＳ３２は複数の需要家および複数の指定場所が存在することを想定した処理である。つまり、ＩＣカード３の識別情報に基づき、複数の需要家の中から、処理の対象となる１つの需要家を特定する。また、カードリーダ４の識別情報に基づき、複数の指定場所の中から、処理の対象となる１つの指定場所を特定する。以下のステップＳ３３〜Ｓ３８の説明は、ステップＳ３２で特定された需要家および指定場所を対象に処理が行われる場合について行うこととする。
【００４２】
続いて、判定サーバ７は、指定時間情報を、判定サーバ７に設けられた記憶装置から読み出すことにより取得する（ステップＳ３３）。
続いて、判定サーバ７は、需要家の構成員が指定時間に指定場所に来場したか否かを判断する（ステップＳ３４）。具体的には、判定サーバ７は、ステップＳ３２で来場情報から抽出した読取時刻情報と、ステップＳ３３で取得した指定時間情報とを比較し、読取時刻情報が示す時刻が指定時間の範囲内であるか否かを判断する。
【００４３】
読取時刻情報が示す時刻が指定時間の範囲内である場合には（ステップＳ３４：ＹＥＳ）、続いて、判定サーバ７は、需要家の電力使用量を示す情報を電力量記録装置６から取得する（ステップＳ３５）。具体的には、判定サーバ７は、需要家を特定するための情報（例えばＩＣカード３の識別情報）および指定時間情報を電力量記録装置６へ送信し、電力量記録装置６に対し、来場当日の指定時間における当該需要家の電力使用量情報と、過去の日の所定時間における当該需要家の電力使用量情報の送信を要求する。これに応じ、電力量記録装置６は、判定サーバ７から受信した、需要家を特定するための情報に基づいて需要家を特定する。さらに、電力量記録装置６は、判定サーバ７から受信した指定時間情報と、電力量記録装置６の記録媒体に記録されている計測時刻情報に基づいて、電力量記録装置６の記録媒体を検索し、来場当日の指定時間における当該需要家の電力使用量情報と、過去の日の所定時間（後に詳述する）における当該需要家の電力使用量情報を取得する。続いて、電力量記録装置６は、来場当日の指定時間における当該需要家の電力使用量情報と、過去の日の所定時間における当該需要家の電力使用量情報を電力量記録装置６の記録媒体から読み出し、これらを判定サーバ７へ送信し、判定サーバ７はこれらを受信する。
【００４４】
続いて、判定サーバ７は、来場当日の指定時間における当該需要家の電力使用量情報に基づき、来場当日の指定時間における当該需要家の電力使用量の平均値を算出する。また、判定サーバ７は、過去の日の所定時間における当該需要家の電力使用量情報に基づき、過去の日の所定時間における当該需要家の電力使用量の平均値を算出する。そして、判定サーバ７は、過去の日の所定時間における当該需要家の電力使用量の平均値に対する、来場当日の指定時間における当該需要家の電力使用量の平均値の減少率（以下、「電力使用量減少率」という。）を算出する。続いて、判定サーバ７は、算出された電力使用量減少率が、所定の基準値に達したか否かを判定する（ステップＳ３６）。
【００４５】
算出された電力使用量減少率が所定の基準値に達している場合には（ステップＳ３６：ＹＥＳ）、判定サーバ７は、需要家の構成員が指定時間において指定場所へ行くために外出したことにより、省電力が達成されたと判定する（ステップＳ３７）。
一方、読取時刻情報が示す時刻が指定時間の範囲内でない場合（ステップＳ３４：ＮＯ）、または、電力使用量減少率が所定の基準値に達していない場合（ステップＳ３６：ＮＯ）には、判定サーバ７は、省電力が達成されなかったと判定する（ステップＳ３８）。
【００４６】
ここで、上述した、過去の日の所定時間における需要家の電力使用量は、例えば、過去数年間（例えば３〜５年間）の、来場当日と同日の、指定時間と同時間における需要家の電力使用量である。なお、過去の日の所定時間における需要家の電力使用量を、例えば、来場当日前の数日間の、指定時間と同時間における需要家の電力使用量としてもよい。また、過去の日の所定時間における需要家の電力使用量に代え、例えば、来場当日の指定時間前の数時間および来場当日の指定時間後の数時間の需要家の電力使用量を用いてもよい。また、過去の日の所定時間における需要家の電力使用量に代え、例えば、来場当日の指定時間における他の複数の需要家の電力使用量の平均値を用いてもよい。
【００４７】
また、システム管理者は、省電力判定システム１による省電力判定処理の実行に関連した、次のようないくつかの作業を行う。
【００４８】
第一に、電気需給契約を締結している需要家へＩＣカード３を与える。電気需給契約を締結しているすべての需要家にＩＣカード３を配布するようにしてもよいし、電気需給契約を締結しているすべての需要家のうち、省電力判定システム１による省電力判定を受けることを希望する需要家にのみＩＣカード３を渡すようにしてもよい。
【００４９】
第二に、判定処理（図５）において省電力が達成されたと判定された需要家に対し、何らかの報酬を与える。例えば、指定時間における指定場所への来場により省電力の達成が判定された需要家に対し、１ポイントを与える。そして、１０ポイントを貯めた需要家に対し、ポイントを商品と交換する権利や、電気料金の割引を受ける権利を与える。
【００５０】
第三に、施設等を指定場所として設定するために、当該施設の管理者等と業務提携契約を締結し、例えば、カードリーダ４の設置等を当該施設の管理者等に依頼する。また、指定場所として設定した施設等に指定時間に来場した需要家構成員の人数（需要家の個数）を、来場情報に基づいてカウントし、この人数が所定の人数に達した場合に、当該施設の管理者等に何らかの利益（例えば電気料金の割引を受ける権利等）を与えるようにしてもよい。
【００５１】
以上説明した通り、省電力判定システム１によれば、需要家の構成員が指定時間に指定場所へ行ったことと、指定時間における当該需要家の電力使用量が所定の基準を下回る程度減少したこと、といった２つの条件を満たした場合に、省電力の達成が認められ、当該需要家に報酬が与えられる。これにより、需要家の構成員には、単に外出するインセンティブだけでなく、外出中に需要家宅のエアコン等を停止させて外出中の需要家の電力使用量を減らすインセンティブが形成される。この結果、需要家における省電力の実現の確実性が高まる。
【００５２】
例えば、外出により指定時間における需要家の電力使用量を減らすインセンティブを形成した需要家の構成員は、外出する前に、需要家宅のすべての部屋のエアコン等を停止させるであろうし、需要家宅のすべての部屋のエアコン等を停止させるために、需要家の全員が外出するであろう。この結果、指定時間において、当該需要家の電力使用量を大きく減少させることができる。指定時間において、多くの需要家が一斉にこのような行動をとれば、大幅な省電力を実現することができる。
【００５３】
また、需要家構成員が指定場所である施設等へ行き、買い物をし、またはサービスの提供を受けることで、商品を販売し、またはサービスを提供する施設側も利益を得ることができる。
【００５４】
また、需要家構成員が指定場所へ行ったことを、ＩＣカード３およびカードリーダ４により認識し、かつ、需要家の電力使用量をスマートメータ２で計測し、計測結果を電力量記録装置６に記録することで、省電力を達成したか否かの判定に必要な情報を、需要家構成員、施設の管理者・作業者、電力会社の作業者等のいずれにも大きな負担をかけることなく、簡単に収集することができる。また、スマートメータ２を用いることで、需要家の電力使用量を示す情報を例えば３０分といった短い時間間隔で取得することができるので、例えば１２：００から１５：００までといった短い指定時間における需要家の電力使用量を示す情報を取得することができ、これを用いて、指定時間における需要家の電力使用量の減少率を正確に算出することができる。
【００５５】
なお、上述した省電力判定システム１において、次のようないくつかの変形または代替構成の採用が可能である。
【００５６】
まず、省電力判定システム１において、ＩＣカード３を用いて需要家構成員の指定時間における指定場所への来場を認識する構成について、次のような代替構成を採用することができる。すなわち、上述した省電力判定システム１では、例えば指定場所である百貨店のレジカウンタにカードリーダ４を置き、需要家構成員が購入した商品の決済時に、カードリーダ４によりＩＣカード３の識別情報をＩＣカード３から読み取り、このときに得られるＩＣカード３の読取時刻を示す読取時刻情報に基づいて、需要家構成員が指定時間に指定場所に行ったことを認識する。この構成に代え、例えば指定場所である百貨店の出入口にカードリーダ４を置き、需要家構成員が百貨店に入るとき、または百貨店から出るときに、カードリーダ４によりＩＣカード３の識別情報をＩＣカード３から読み取り、このときに得られるＩＣカード３の読取時刻を示す読取時刻情報に基づいて、需要家構成員が指定時間に指定場所に行ったことを認識してもよい。この構成は、レジャー施設等、決済行為が想定されない場所を指定場所に設定した場合や、電車や地下鉄等の交通機関を指定場所に設定した場合に好適である。
【００５７】
また、省電力判定システム１において、省電力判定の対象となる需要家の制限に関する構成について、次のような代替構成を採用することができる。すなわち、上述した省電力判定システム１では、システム管理者からＩＣカード３を受け取ったすべての需要家が省電力判定の対象である。この構成に代え、ウェブサーバ８により提供されるウェブページに指定時間および指定場所等を表示して省電力の協力を需要家に依頼する際に、指定時間に指定場所に行くことの事前申告を需要家に依頼する構成としてもよい。具体的には、ウェブサーバ８により提供されるウェブページに、指定時間および指定場所等の表示に加え、電気需給契約番号等、需要家を特定することができる事前申告情報を入力するためのフォームと、事前申告情報の送信ボタンを形成する。指定時間および指定場所に行くことを希望する需要家の構成員が、閲覧用ＰＣ９を操作して上記ウェブページにアクセスし、上記フォームに、事前申告情報を入力し、上記送信ボタンを押す（クリックまたはタップ）すると、事前申告情報が、閲覧用ＰＣ９からウェブサーバ８へ送信され、さらに、ウェブサーバ８から判定サーバ７へ送信される。そして、判定処理の際、判定サーバ７は、この事前申告情報に基づいて、事前申告をした需要家を特定し、当該需要家を省電力判定の対象とする。
【００５８】
また、上述した省電力判定システム１では、ウェブサーバ８により提供されるウェブページにより指定時間および指定場所等を需要家に伝達する構成としたが、これに代え、指定時間および指定場所等を電子メールで需要家に伝達してもよい。
【００５９】
また、上述した省電力判定システム１は、夏期の電力需要がピークとなることが予想される時間を指定時間として設定し、その指定時間に指定場所（例えばクールシェアスポット）に行くことを促す場合を例にあげたが、これに限らず、冬期やその他の時期における電力需要が増加することが予想される時間、または電力供給が不足することとが予想される時間を指定時間として設定し、その指定時間に指定場所に行くことを促すようにしてもよい。
【００６０】
また、本発明は、請求の範囲および明細書全体から読み取ることのできる発明の要旨または思想に反しない範囲で適宜変更可能であり、そのような変更を伴う省電力判定システムおよび省電力判定方法もまた本発明の技術思想に含まれる。
【符号の説明】
【００６１】
１  省電力判定システム
２  スマートメータ（電力量計測装置）
３  ＩＣカード（携帯型情報記録媒体）
４  カードリーダ（情報読取装置）
５  通信用ＰＣ
６  電力量記録装置
７  判定サーバ（判定装置）
８  ウェブサーバ
９  閲覧用ＰＣ
【図１】
2017038416.tif 000003
【図２】
2017038416.tif 000004
【図３】
2017038416.tif 000005
【図４】
2017038416.tif 000006
【図５】
2017038416.tif 000007